(57)【要約】【課題】放送されている間にしか、放送と同じコンテンツをビデオ・オン・デマンド視聴開始できない制限がある場合に、ユーザが意図せず番組の最後の方迄視聴できる受信装置を提供する。【解決手段】前記番組が放送されている放送時間内であれば、前記放送以外から前記番組に対応したコンテンツを再生開始することができる見逃し視聴サービスによる番組を受信する見逃し視聴サービス受信手段を備える。見逃し視聴サービス受信時に番組の放送終了時刻を記憶する。放送されている番組が前記放送終了時刻に達する付近または達したとき、見逃し視聴サービス受信中に受信停止要求があると、ユーザに対して本当に停止させるかを通知し、この通知に応じて受信継続させるか受信停止する。【選択図】  図３
2012160921.tif 000002
【特許請求の範囲】
【請求項１】
放送されている番組を受信する放送受信手段と、
前記番組が放送されている放送時間内であれば、前記放送以外から前記番組に対応したコンテンツを再生開始することができる見逃し視聴サービスによる番組を受信する見逃し視聴サービス受信手段と、
見逃し視聴サービスの視聴指示または視聴停止指示を受ける指示受手段と、
前記指示受手段が受けた前記視聴指示に応じて、前記放送受信手段が受信中の番組の放送終了時刻を記憶する記憶手段と、
前記指示受手段が受けた前記視聴指示に応じて、前記放送受信手段が受信中の番組に対応する前記放送以外から前記番組に対応したコンテンツを前記見逃し視聴サービス受信手段に再生開始させる受信開始制御手段と、
前記指示受手段が受けた前記視聴停止指示に応じて、現在の時刻に所定の正の時間を加えたが時刻が前記放送終了時刻に達しない場合、前記見逃し視聴サービス受信手段に受信停止させる第１の受信停止制御手段と、
前記指示受手段が受けた前記視聴停止指示に応じて、現在の時刻に所定の正の時間を加えたが時刻が前記放送終了時刻に達する場合、ユーザに対して本当に停止させるかを通知し、この通知に対して前記指示受手段が視聴指示を受けたときには前記見逃し視聴サービス受信手段に受信継続させ、視聴停止指示を受けたときには前記見逃し視聴サービス受信手段に受信停止させる第２の受信停止制御手段とを備えた受信装置。
【請求項２】
前記所定の正の時間は、０である請求項１記載の受信装置。
【請求項３】
前記受信開始制御手段が前記見逃し視聴サービス受信手段に再生開始させた後、前記記憶手段は一定周期毎に前記放送受信手段が受信中の番組の放送終了時刻を記憶する請求項１乃至２のいずれか１項記載の受信装置。
【請求項４】
前記放送受信手段はＩＰ放送で放送されている番組を受信し、前記放送以外とはＩＰ網を経由してビデオ・オン・デマンドにより取得する請求項１乃至３のいずれか１項記載の受信装置。
【請求項５】
前記放送受信手段は電波による放送で放送されている番組を受信し、前記放送以外とはＩＰ網を経由してビデオ・オン・デマンドにより取得する請求項１乃至３のいずれか１項記載の受信装置。
【発明の詳細な説明】
【技術分野】
【０００１】
この発明は、ＶＯＤ（Video On Demand）ではない形態にて放送されている番組を、まだこの番組が放送されている最中にこの番組をＶＯＤ（Video On Demand）配信されているものを受信することができる受信装置に関する。
【背景技術】
【０００２】
従来、特許文献１では、実放送番組を見逃した場合に、ＶＯＤで同一番組を視聴でき、両者の終了時刻の差を検出して、ユーザが実放送番組への切換が行えるように表示する技術が知られている。
【０００３】
従来、見逃した放送番組を、後からＩＰ（Internet Protocol）網を用いたネット配信サービスで視聴する技術が知られている（例えば、非特許文献１参照）。
【０００４】
また、放送番組と同一内容のコンテンツを、ＩＰ（Internet Protocol）網等の通信路でも別途配信するデジタル放送サービスにおいて、元の番組の放送時間内であれば、その番組の最初からＶＯＤ（Video On Demand）として視聴することができる、「さいしょから機能」と称する見逃し視聴サービスがある（例えば、非特許文献２参照）。
【０００５】
このような見逃し視聴サービスでは、通常、対象となる番組の放送中にのみ再生開始が可能である。このため番組Ａの見逃し視聴サービスを利用中に、一旦視聴を止めて放送に戻った場合、既に対象となる番組Ａが終了してしまっていると、次に見逃し視聴サービスとして視聴できるのは番組Ｂに変わってしまっており、改めて番組Ａの見逃し視聴サービスに戻ることはできない。この結果、番組Ａの残りを視聴できなくなってしまうという問題がある。
【先行技術文献】
【特許文献】
【０００６】
【特許文献１】特開２００９−２５３３１１号公報（図１，１３，１４，１６，１７）
【非特許文献】
【０００７】
【非特許文献１】ＮＨＫオンデマンド、［online］、ＮＨＫ、［２０１１年１月３１日検索］、インターネット＜URL：http://www.nhk.or.jp/nhk-ondemand/＞
【非特許文献２】番組が始まっていても、最初から視聴できる！「さいしょから機能」のトライアル提供を開始、［online］、株式会社アイキャスト、株式会社NTTぷらら、［２０１１年１月３１日検索］、インターネット＜URL：http://www.nttplala.com/news_releases/2010/10/20101012.html＞
【発明の概要】
【発明が解決しようとする課題】
【０００８】
このように従来の受信装置においては、既に対象となる番組が終了してしまっていると、改めて番組Ａの見逃し視聴サービスに戻ることはできず、番組の残りを視聴できなくなってしまうという問題があった。
【０００９】
この発明は、番組の残りを視聴できなくなくなることを防ぐことを目的とする。
【課題を解決するための手段】
【００１０】
上記の目的を達成するために、この発明においては、放送されている番組を受信する放送受信手段と、前記番組が放送されている放送時間内であれば、前記放送以外から前記番組に対応したコンテンツを再生開始することができる見逃し視聴サービスによる番組を受信する見逃し視聴サービス受信手段と、見逃し視聴サービスの視聴指示または視聴停止指示を受ける指示受手段と、前記指示受手段が受けた前記視聴指示に応じて、前記放送受信手段が受信中の番組の放送終了時刻を記憶する記憶手段と、前記指示受手段が受けた前記視聴指示に応じて、前記放送受信手段が受信中の番組に対応する前記放送以外から前記番組に対応したコンテンツを前記見逃し視聴サービス受信手段に再生開始させる受信開始制御手段と、前記指示受手段が受けた前記視聴停止指示に応じて、現在の時刻に所定の正の時間を加えたが時刻が前記放送終了時刻に達しない場合、前記見逃し視聴サービス受信手段に受信停止させる第１の受信停止制御手段と、前記指示受手段が受けた前記視聴停止指示に応じて、現在の時刻に所定の正の時間を加えたが時刻が前記放送終了時刻に達する場合、ユーザに対して本当に停止させるかを通知し、この通知に対して前記指示受手段が視聴指示を受けたときには前記見逃し視聴サービス受信手段に受信継続させ、視聴停止指示を受けたときには前記見逃し視聴サービス受信手段に受信停止させる第２の受信停止制御手段とを備えた受信装置を提供する。
【００１１】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【図面の簡単な説明】
【００１２】
【図１】実施形態におけるデジタルテレビジョン放送受信装置１１１の外観と、このデジタルテレビジョン放送受信装置１１１を中心として構成されるネットワークシステムを説明するための図。
【図２】実施形態におけるデジタルテレビジョン放送受信装置１１１の主要な信号処理系を示す図。
【図３】オンエアまたはＩＰ放送による番組Ａ（オンエアまたはＩＰ放送番組Ａ）と、見逃しサービスによる番組Ａ（ＶＯＤ番組Ａ）の視聴タイミング例を説明するための図。
【図４】実施形態におけるデジタルテレビジョン放送受信装置１１１の動作を説明するためのフローチャート。
【図５】実施形態におけるデジタルテレビジョン放送受信装置１１１の動作を説明するためのフローチャート。
【図６】注意を喚起するメッセージの表示例（ＯＤＳ表示）を示す図。
【発明を実施するための形態】
【００１３】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１４】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１５】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１６】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１７】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１８】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１９】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２０】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００２１】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２２】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２３】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２４】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２５】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２６】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２７】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２８】
チューナ２４５ａは、制御部２６１からの制御信号により所望のチャンネルの放送信号を選局し、この選局された放送信号をＰＳＫ（Phase Shift Keying）復調器２４５ｂに出力する。
【００２９】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３０】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３１】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３２】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３３】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３４】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３５】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３６】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３７】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３８】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３９】
また、字幕放送による字幕を表示するとき、グラフィック処理部２５４は、制御部２６１からの制御による字幕情報に基づき、映像信号上に字幕情報を重畳する処理を行う。
【００４０】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４１】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４２】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４３】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４４】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４５】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４６】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４７】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４８】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４９】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５０】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００５１】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
＜ＩＰ放送に対応のための処理＞
また、制御部２６１は、この発明に係わる機能として、（１）サーバ機器発見機能２６１ｄと、（２）ＨＴＴＰを利用したコンテンツ情報取得機能２６１ｅと、（３）コンテンツアクセス制御機能２６１ｆとを備えている。
【００５２】
（１）制御部２６１は、サーバ機器発見機能２６１ｄにより、放送中の番組が見逃し視聴サービスに対応しているかどうかや、見逃し視聴サービスに対応している場合にサーバに接続するためのＵＲＬ情報を取得する。
【００５３】
（２）制御部２６１は、コンテンツ情報取得機能２６１ｅにより、コンテンツをアクセスするために必要な情報を取得する。取得には主にＨＴＴＰが用いられる。例えばコンテンツ情報取得機能２６１ｅは、コンテンツサーバ１３３に接続し、コンテンツサーバ１３３内のＨＤＤ等に蓄積されているコンテンツをアクセスするために必要な情報（コンテンツのＵＲＬ、プロトコル、ＤＲＭの情報等）を取得する。
【００５４】
（３）制御部２６１は、コンテンツアクセス制御機能２６１ｆにより、コンテンツ情報取得機能２６１ｅにより取得したコンテンツをアクセスするために必要な情報を用いて、コンテンツサーバ１３３に接続し、ＶＯＤコンテンツの取得を行う。
【００５５】
図３は、オンエアまたはＩＰ放送による番組Ａ（オンエアまたはＩＰ放送番組Ａ）と、見逃しサービスによる番組Ａ（ＶＯＤ番組Ａ）の視聴タイミング例を説明するための図である。本実施形態では、ＶＯＤ番組Ａでない方については、エアを介して伝搬される放送であってもよいし、ＩＰ放送であってもよい。
【００５６】
オンエアまたはＩＰ放送番組Ａは、例えば図２のアンテナ２４３，２４８を介して受信した番組である。
ＶＯＤ番組Ａは、例えば図１のブロードバンドルータ１３１を介してネットワーク１３２（インターネット等のＩＰ網）に接続し、ネットワーク１３２の先にあるＶＯＤのサービスを行っているコンテンツサーバ１３３から受信した番組である。
【００５７】
ＶＯＤのサービスを行っているコンテンツサーバ１３３は、オンエアまたはＩＰ放送による番組Ａ（オンエアまたはＩＰ放送番組Ａ）が放送されている間であれば、見逃しサービスによる番組Ａ（ＶＯＤ番組Ａ）の新たな視聴開始リクエストに応じ、ＶＯＤ番組Ａをデジタルテレビジョン放送受信装置１１１へ送信するサービスを行っている。
【００５８】
図３において、放送されたチャンネル１００の番組である、オンエアまたはＩＰ放送番組Ａの番組開始時刻は１０：００、番組終了時刻は１１：００である。オンエアまたはＩＰ放送番組Ａは放送のコンテンツであり、ＶＯＤ番組ＡはＶＯＤによるコンテンツであり、例えば解像度等は放送、ＶＯＤで異なるが、番組の中身は同じ内容のコンテンツである。なお、解像度等は同じであってもよい。
【００５９】
この実施形態では、ＩＰ網を用いたＶＯＤによる見逃しサービスは、オンエアまたはＩＰ放送番組Ａが放送されている１０：００〜１１：００の間であれば、タイムシフト視聴することができる制限があるものとする。
【００６０】
このため、ユーザは視聴開始時にオンエアまたはＩＰ放送番組Ａの前半を見逃しに気が付くと、すぐに時刻ｔ２である１０：３０に見逃し視聴サービスにより視聴可能なＶＯＤ番組Ａを視聴開始し、オンエアまたはＩＰ放送番組Ａの放送が終わった１１：００以降の時刻ｔ４（１１：１５）に、一旦ＶＯＤを停止し、放送されたチャンネル１００の番組Ｂへ切り替えてしまうと、既にオンエアまたはＩＰ放送番組Ａは放送が終ってしまっているため、番組Ａの最後の１５分間については視聴することができない。
【００６１】
本実施形態では、ユーザがＶＯＤ視聴を停止させようとすると、すぐにＶＯＤ視聴を停止するのではなく、番組Ａ終了を検知したら画面等にメッセージを表示することでユーザが意図せず番組Ａを最後まで視聴できない状態になることを防いでいる。
【００６２】
図３では、オンエアまたはＩＰ放送番組Ａが終った後の時刻である時刻ｔ４（１１：１５）に、放送されたチャンネル１００の番組Ｂへ切り替える等、図６（ａ）に示すようにユーザがＶＯＤ視聴を停止させようとすると、ＶＯＤ視聴による番組ＡであるＶＯＤ番組Ａを視聴することができなくなってしまうことを示す注意を喚起するメッセージを映像表示器１１４の画面に表示する。
【００６３】
この結果、ユーザはＶＯＤ視聴による番組Ａを最後まで視聴したい場合、誤ってＶＯＤを停止させることを防ぐことができるので、ＶＯＤによりＶＯＤ番組Ａを最後まで視聴することができる。
【００６４】
以上説明したとおり、本実施形態によれば、オンエアまたはＩＰ放送による番組が終った後の時刻に、この番組のＶＯＤ視聴を停止させようとすると、ＶＯＤ視聴による番組ＡであるＶＯＤ番組Ａを視聴することができなくなってしまうことを示す注意を喚起するメッセージを表示するので、ＶＯＤによる番組を最後まで視聴することができる。
【００６５】
次に、上記の動作を行うときのデジタルテレビジョン放送受信装置１１１の制御部２６１の動作について図４乃至図６を用いて詳細に説明する。なお、この図４のフローは、図３の視聴タイミング例を元にして説明する。
【００６６】
ステップＳ４０１：  ユーザによる放送１００チャンネルの番組選択動作に応じて、制御部２６１は、例えば図２のチューナ２４５ａ，ＰＳＫ復調器２４５ｂ，ＴＳ復号器２４５ｃ，信号処理部２４７を制御し、１００ｃｈの番組Ａを映像表示器１１４の画面に表示させるよう制御する。この結果、ユーザは番組Ａを番組の途中から視聴することによりオンエアまたはＩＰ放送番組Ａの前半を見逃しに気が付く。
【００６７】
ステップＳ４０２：  ユーザは、放送による番組Ａを途中から視聴すると、ＶＯＤ番組Ａを番組の頭から視聴するために、リモートコントローラ１１７等を介して番組Ａの見逃し視聴サービスの指示をする。制御部２６１は、ユーザによる番組Ａの見逃し視聴サービスの選択指示を、リモートコントローラ１１７等を介して受ける。
【００６８】
ステップＳ４０３：  放送のサービス記述子に含まれている番組Ａの終了時刻をメモリ等の記憶媒体に記憶する。
ステップＳ４０４：  制御部２６１は、見逃し視聴サービスにより視聴可能なＶＯＤ番組Ａを映像表示器１１４の画面に表示（番組Ａの見逃し視聴サービスによるＶＯＤ視聴）させるよう制御する。この結果、ユーザはＶＯＤ番組Ａを番組の頭から視聴開始することができる。制御部２６１は、番組Ａが見逃し視聴サービスに対応しているかどうかや、見逃し視聴サービスに対応している場合にサービスに接続するための情報を取得する方法としては、デジタル放送のＥＩＴ（Event Information Table）やＮＩＴ（Network Information Table）といったサービス記述子に含まれる情報から得る。放送局側ではこれら情報を送信する。
【００６９】
ステップＳ４０５：  制御部２６１は、ＶＯＤによる番組Ａの終了であれば処理を終え、終了でなければステップＳ４０６へ進む。
ステップＳ４０６：  制御部２６１は、現在時刻がステップＳ４０３で記憶した番組Ａの終了時刻か否か判断し、終了時刻であればステップＳ４０７へ進み、終了時刻でなければステップＳ４０８へ進む。
【００７０】
ステップＳ４０７：  制御部２６１は、現在時刻がステップＳ４０３で記憶した番組Ａの終了時刻のときには、図６（ａ）に示す「番組Ａの終了時刻となりました。このため今後ＶＯＤ視聴を終了すると番組Ａの見逃し視聴サービスに戻れなくなります。」という内容のＯＳＤ画面（通知画面）を、例えば１０秒間、番組の映像と共に表示する。そして１０秒後には、ＯＳＤによる通知は消え、番組Ａのみの画面に戻る。
【００７１】
この１０秒間の通知によって、ユーザはこの後ＶＯＤ番組Ａを終了まで見なければ、もうＶＯＤ番組Ａの視聴に戻ることができないということを知ることができる。
ステップＳ４０８：  制御部２６１は、ユーザからＶＯＤの停止指示があったか否かを判断し、停止指示があればステップＳ４１０へ進み、停止指示が無ければステップＳ４０９へ進む。
【００７２】
ステップＳ４０９：  制御部２６１は、番組Ａの見逃し視聴サービスによるＶＯＤ視聴を継続し、ステップＳ４０５へ戻る。
ステップＳ４１０：  制御部２６１は、現在時刻が、記憶した番組Ａの終了時刻に到達している、または終了時刻迄残りｎ分、のいずれかに該当するか否かを判断し、該当すれば（Ｙｅｓ）ステップＳ４１１へ進み、該当しなければ（Ｎｏ）ステップＳ４０１へ戻る。なお、この図４のフローチャートではＶＯＤ終了時、ステップＳ４０１へ戻る元のチャンネルであるチャンネル１００に戻ったが、他のチャンネルの選局指示があったときにはＶＯＤ視聴を終了させ他のチャンネルへ移るようにしてもよい。
【００７３】
ステップＳ４１１：  ステップＳ４１０にて、制御部２６１は、現在時刻が、記憶した番組Ａの終了時刻に到達するときには、図６（ｂ）に示す「番組Ａの終了時刻に到達しています。このため番組Ａの見逃し視聴サービスに戻れなくなりますが、本当に番組Ａの見逃し視聴サービスを終了しますか？」という内容のＯＳＤ画面（ＧＵＩ）を、番組の映像と共に表示する。この表示によってユーザは、ＶＯＤ視聴を終了した場合に、番組Ａの終了時刻に到達しているために番組Ａの見逃し視聴サービスに戻れなくなることを知ることができる。
【００７４】
また、ステップＳ４１０にて、制御部２６１は、現在時刻が、記憶した番組Ａの終了時刻迄残りｎ分のときには、図６（ｃ）に示す「番組Ａの終了時刻迄残りｎ分です。本当に番組Ａの見逃し視聴サービスを終了しますか？」という内容のＯＳＤ画面（ＧＵＩ）を、番組の映像と共に表示する。この表示によってユーザは、ＶＯＤ視聴を終了した場合に、番組Ａの終了時刻迄残りｎ分であるかを知ることができる。これを知ったユーザは例えばｎ＝１のとき、即ち後１分でＶＯＤ番組Ａが終了するとき、先にＶＯＤ番組Ａを最後迄視聴することでＶＯＤ視聴を終えようと考えることができるようになる。
【００７５】
ステップＳ４１２：  制御部２６１は、図６（ｂ）または図６（ｃ）に対するユーザの入力が、本当にＶＯＤ視聴を停止する場合にはステップＳ４０１へ戻る。なお、この図４のフローチャートではＶＯＤ終了時、ステップＳ４０１へ戻る元のチャンネルであるチャンネル１００に戻ったが、他のチャンネルの選局指示があったときにはＶＯＤ視聴を終了させ他のチャンネルへ移るようにしてもよい。反対に、ＶＯＤ視聴を続けることとした場合、ステップＳ４１０へ進む。
【００７６】
以上説明したステップＳ４０１〜Ｓ４１２の動作によって、本実施形態によれば、オンエアまたはＩＰ放送による番組が終った後の時刻に、この番組のＶＯＤ視聴を停止させようとすると、ＶＯＤ視聴による番組ＡであるＶＯＤ番組Ａを視聴することができなくなってしまうことを示す注意を喚起するメッセージを表示するので、ＶＯＤによる番組を最後まで視聴することができる。
【００７７】
（番組が延長された場合の対応）
上記実施形態では番組の放送が延長されたとしても、ステップＳ４０４にて番組の終了時刻を記憶した後、更新されない。
例えば、図３の例でオンエアまたはＩＰ放送番号Ａが１時間延長され終了時刻が１２：００となった場合、本来であれば１２：００迄はＶＯＤ視聴開始が可能であるのであるが、ステップＳ４０４にて番組の終了時刻１１：００と記憶しているため１１：００を過ぎたらＶＯＤ視聴開始することができない。
【００７８】
このように番組が延長された場合への対応について、図５を用いて変形例を説明する。図５において、図４と同じ動作については同一符号を付して説明を省略する。
図５は、図４と比較して、ステップＳ５０１がステップＳ４０６とＳ４０８との間に追加された点のみが異なる。
ステップＳ５０１：  制御部２６１は、延長放送対応のため、新たに番組Ａの放送のサービス記述子に含まれている番組Ａの終了時刻を記憶する。番組の放送が延長されたことを判断する手法としては、例えば予めステップＳ４０３にて番組終了時刻の他に、放送されているストリームに含まれる番組ごとに付けられているユニークな識別子（イベントＩＤ）についても記憶し、このステップＳ５０５で取得した番組ＡのイベントＩＤと比較し、２つのイベントＩＤが同じであれば放送が延長されたと判断すればよい。
【００７９】
この結果、例えば先程の図３の例でオンエアまたはＩＰ放送番号Ａが１時間延長され終了時刻が１２：００となった場合、ステップＳ４０６にてＶＯＤ停止の指示が１１：１５にあったとすると、このステップＳ５０１にて番組の終了時刻１１：００は１２：００に更新される。このため、例えば１１：１５にチャンネル１００（他のチャンネルでもよい）へ切り替えた後、改めて１１：１６に番組ＡのＶＯＤ視聴を開始することができる。
【００８０】
（ＶＯＤ視聴へのアクセス方法）
上記実施形態によれば、放送により送られた情報から見逃し視聴サービスに接続される必要は必ずしもなく、ユーザがサーバに接続して見逃し視聴サービスに対応している番組Ａのコンテンツを視聴するようにしてもよい。
【００８１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【符号の説明】
【００８２】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2012160921.tif 000003
【図２】
2012160921.tif 000004
【図３】
2012160921.tif 000005
【図４】
2012160921.tif 000006
【図５】
2012160921.tif 000007
【図６】
2012160921.tif 000008